【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
撮影条件情報、当該撮影条件情報に従って画像処理された処理済み画像情報、及び、前記画像処理が施されていない未処理画像情報で構成される画像ファイルを編集する画像処理装置であって、
画像処理にかかる編集パラメータを設定する設定手段と、
所定の記憶装置に保存された編集対象の画像ファイルを前記設定手段で設定された条件に従って表示する場合、前記設定手段で設定された編集パラメータと、当該画像ファイル中の前記撮影条件情報内の該当するパラメータとを比較する比較手段と、
該比較手段により両者が一致する場合、前記編集対象の画像ファイル内の処理済み画像情報に基づく画像を所定の表示手段に表示し、不一致の場合には前記編集対象の画像ファイル内の未処理画像情報を前記設定手段で設定されたパラメータに従って画像処理して得られた画像を前記表示手段に表示する画像処理切り換え手段と
を備えることを特徴とする画像処理装置。
【請求項２】
前記画像処理切り換え手段は、前記記憶装置に記憶されている所望とする編集対象画像ファイルを決定した際に実行することを特徴とする請求項１に記載の画像処理装置。
【請求項３】
前記画像処理切り換え手段は、前記表示手段に表示中の画像に対して前記設定手段によってパラメータを変更した際に実行することを特徴とする請求項１に記載の画像処理装置。
【請求項４】
更に、画像を表示する表示領域サイズを指定する表示領域サイズ指定手段とを備え、
前記表示領域サイズ指定手段で指定された画像表示領域のサイズに応じて、撮影条件情報と比較する対象とする編集項目と比較対象外とする編集項目とを決定する項目決定手段を更に備えることを特徴とする請求項１に記載の画像処理装置。
【請求項５】
前記項目決定手段は、表示領域サイズ指定手段で指定された表示領域のサイズに応じて、シャープネスを画像処理対象項目に決定することを特徴とする請求項２に記載の画像処理装置。
【請求項６】
前記画像処理切り換え手段は、
前記比較手段によって、設定された編集パラメータと前記編集対象の画像ファイルが有する撮影条件情報内の該当するパラメータとが一致し、且つ、前記編集対象の画像ファイル内の処理済み画像情報の画像サイズと前記表示領域サイズ指定手段で指定された表示領域サイズとの大小関係が所定の条件を満たす場合に、前記編集対象の画像ファイル内の処理済み画像情報に基づく画像を前記所定の表示手段に表示し、
パラメータが不一致、並びに、パラメータが一致しても前記所定の条件を満たさない場合には前記編集対象の画像ファイル内の未処理画像情報を前記設定手段で設定されたパラメータに従って画像処理して得られた画像を前記所定の表示手段に表示する
ことを特徴とする請求項１に記載の画像処理装置。
【請求項７】
前記大小関係の条件を変更する手段を更に備えることを特徴とする請求項６に記載の画像処理装置。
【請求項８】
更に、前記画像処理切り換え手段が、前記編集対象の画像ファイル内の未処理画像情報に基づく画像を前記表示手段に表示することを決定してから表示される迄の間、処理に時間がかかることを報知する報知手段を備えることを特徴とする請求項１乃至５のいずれか１項に記載の画像処理装置。
【請求項９】
前記報知手段は、前記処理の進行状況を示すバー表示を行なうことによって報知することを特徴とする請求項８に記載の画像処理装置。
【請求項１０】
前記報知手段は、所定のポインティングデバイスに連動するカーソル形状を、所定の形状に変更することで報知することを特徴とする請求項８に記載の画像処理装置。
【請求項１１】
更に、画像を表示する際の倍率を設定する倍率設定手段とを備え、
前記比較手段によって、設定された編集パラメータと前記編集対象の画像ファイルが有する撮影条件情報内の該当するパラメータとが一致し、且つ、前記編集対象の画像ファイル内の処理済み画像情報の画像サイズと前記未処理画像の前記倍率設定手段で設定した倍率で変倍した際の画像のサイズとの大小関係が所定の条件を満たす場合に、前記編集対象の画像ファイル内の処理済み画像情報に基づく画像を前記所定の表示手段に表示し、
パラメータが不一致、並びに、パラメータが一致しても前記所定の条件を満たさない場合には前記編集対象の画像ファイル内の未処理画像情報を前記設定手段で設定されたパラメータに従って画像処理して得られた画像を前記所定の表示手段に表示する
ことを特徴とする請求項１に記載の画像処理装置。
【請求項１２】
撮影条件情報、当該撮影条件情報に従って画像処理された処理済み画像情報、及び、前記画像処理が施されていない未処理画像情報で構成される画像ファイルを編集する画像処理装置の制御方法であって、
画像処理にかかる編集パラメータを設定する設定工程と、
所定の記憶装置に保存された編集対象の画像ファイルを前記設定手段で設定された条件に従って表示する場合、前記設定手段で設定された編集パラメータと、当該画像ファイル中の前記撮影条件情報内の該当するパラメータとを比較する比較工程と、
該比較工程により両者が一致する場合、前記編集対象の画像ファイル内の処理済み画像情報に基づく画像を所定の表示手段に表示し、不一致の場合には前記編集対象の画像ファイル内の未処理画像情報を前記設定手段で設定されたパラメータに従って画像処理して得られた画像を前記表示手段に表示する画像処理切り換え工程と
を備えることを特徴とする画像処理装置の制御方法。
【請求項１３】
コンピュータに読込ませ、実行させることで、前記コンピュータを、撮影条件情報、当該撮影条件情報に従って画像処理された処理済み画像情報、及び、前記画像処理が施されていない未処理画像情報で構成される画像ファイルを編集する画像処理装置として機能させるコンピュータプログラムであって、
画像処理にかかる編集パラメータを設定する設定手段と、
所定の記憶装置に保存された編集対象の画像ファイルを前記設定手段で設定された条件に従って表示する場合、前記設定手段で設定された編集パラメータと、当該画像ファイル中の前記撮影条件情報内の該当するパラメータとを比較する比較手段と、
該比較手段により両者が一致する場合、前記編集対象の画像ファイル内の処理済み画像情報に基づく画像を所定の表示手段に表示し、不一致の場合には前記編集対象の画像ファイル内の未処理画像情報を前記設定手段で設定されたパラメータに従って画像処理して得られた画像を前記表示手段に表示する画像処理切り換え手段
として機能することを特徴とするコンピュータプログラム。
【請求項１４】
請求項１３に記載のコンピュータプログラムを格納したことを特徴とするコンピュータ可読記憶媒体。
【手続補正２】
【補正対象書類名】明細書
【補正対象項目名】０００８
【補正方法】変更
【補正の内容】
【０００８】
この課題を解決するため、例えば本発明の画像処理装置は以下の構成を備える。すなわち、
撮影条件情報、当該撮影条件情報に従って画像処理された処理済み画像情報、及び、前記画像処理が施されていない未処理画像情報で構成される画像ファイルを編集する画像処理装置であって、
画像処理にかかる編集パラメータを設定する設定手段と、
所定の記憶装置に保存された編集対象の画像ファイルを前記設定手段で設定された条件に従って表示する場合、前記設定手段で設定された編集パラメータと、当該画像ファイル中の前記撮影条件情報内の該当するパラメータとを比較する比較手段と、
該比較手段により両者が一致する場合、前記編集対象の画像ファイル内の処理済み画像情報に基づく画像を所定の表示手段に表示し、不一致の場合には前記編集対象の画像ファイル内の未処理画像情報を前記設定手段で設定されたパラメータに従って画像処理して得られた画像を前記表示手段に表示する画像処理切り換え手段とを備える。